(57)【要約】【課題】効果的に掛け布団等の寝具のずれ落ちを防止できる寝具用ずれ落ち防止具を提供することを目的としている。【解決手段】ベッド土台とこのベッド土台の上に載置されたマットとの間に差し込まれる差し込み板１と、該差し込み板１に一端２ａが連結される連結部材２と、該連結部材２の他端２ｂに連結され前記マットにかけられた掛け布団等の寝具に係止される係止部材３とを備える寝具用ずれ落ち防止具であって、前記差し込み板１には、針１０ａが少なくとも一つ突設され、前記針１０ａは、前記ベッド土台とこのベッド土台の上に載置された前記マットとの間に前記差し込み板１が差し込まれる際、当該マットに挿通可能である。【選択図】図１
0003173287.tif 000002
【実用新案登録請求の範囲】
【請求項１】
ベッド土台とこのベッド土台の上に載置されたマットとの間に差し込まれる差し込み板と、該差し込み板に一端が連結される連結部材と、該連結部材の他端に連結され前記マットにかけられた掛け布団等の寝具に係止される係止部材とを備える寝具用ずれ落ち防止具であって、
前記差し込み板には、先端が鋭利な突起が少なくとも一つ突設され、
前記突起は、前記ベッド土台とこのベッド土台の上に載置された前記マットとの間に前記差し込み板が差し込まれる際、当該マットに挿通可能であることを特徴とする寝具用ずれ落ち防止具。
【請求項２】
前記連結部材は、弾性伸長可能な帯体からなることを特徴とする請求項１に記載の寝具用ずれ落ち防止具。
【請求項３】
前記係止部材は、Ｕ字状の係止部本体と、その係止部本体の一端に、弾力性があり先端が鋭利で、且つ、前記掛け布団等の寝具に挿通可能な係止片が設けられ、他端には、該係止片の先端部を保持する保持片が設けられてなることを特徴とする請求項１又は２に記載の寝具用ずれ落ち防止具。
【請求項４】
前記連結部材には、前記差し込み板を収納する収納ケースが設けられてなることを特徴とする請求項１〜３のいずれか１項に記載の寝具用ずれ落ち防止具。
【考案の詳細な説明】
【技術分野】
【０００１】
本考案は、就寝時に寝返りなどによって、身体と共に寝具（掛け布団など）が移動して、当該寝具がずれ落ちるのを防止する寝具用ずれ落ち防止具に関する。
【背景技術】
【０００２】
就寝時、寝返りを打つとどうしても身体と共に掛け布団や毛布が移動してしまい、最悪の場合、掛け布団や毛布がずれ落ちて、掛け布団や毛布をしない状態で睡眠してしまう。そうすると、それが原因で、寝冷えや風邪をひいてしまい、体調を崩してしまうという問題があった。そこで、そのような問題を解決すべく特許文献１に記載のような寝具用ずれ落ち防止具が提案されている。
【０００３】
この特許文献１に記載の寝具用ずれ落ち防止具は、ベッド土台とこのベッド土台の上に載置されたマットとの間に差し込む差し込み板と、一端が差し込み板に連結されたつなぎ部材と、そのつなぎ部材の他端に位置してマットにかけられた掛け布団や毛布を着脱自在に保持するクリップから構成されており、これにより、掛け布団や毛布が就寝時にずれ難くするためのものである。
【先行技術文献】
【特許文献】
【０００４】
【特許文献１】特開２００６−１２９９９７号公報
【考案の概要】
【考案が解決しようとする課題】
【０００５】
しかしながら、上記のような寝具用ずれ落ち防止具は、差し込み板を、単に、ベッド土台とこのベッド土台の上に載置されたマットとの間に差し込んでいるだけであるため、就寝時に寝返りを打った際、差し込み板がベッド土台とマットとの間から簡単に抜け出してしまい、就寝時の掛け布団や毛布のずれ落ち防止が効果的でないという問題があった。
【０００６】
そこで本考案は、上記問題に鑑み、効果的に掛け布団等の寝具のずれ落ちを防止できる寝具用ずれ落ち防止具を提供することを目的としている。
【課題を解決するための手段】
【０００７】
上記課題を解決するための手段を、後述する実施形態の参照符号を付して説明すると、ベッド土台５１とこのベッド土台５１の上に載置されたマット５２との間に差し込まれる差し込み板１と、該差し込み板１に一端２ａが連結される連結部材２と、該連結部材２の他端２ｂに連結され前記マット５２にかけられた掛け布団等の寝具ＳＩに係止される係止部材３とを備える寝具用ずれ落ち防止具であって、前記差し込み板１には、先端が鋭利な突起（針１０ａ）が少なくとも一つ突設され、前記突起（針１０ａ）は、前記ベッド土台５１とこのベッド土台５１の上に載置された前記マット５２との間に前記差し込み板１が差し込まれる際、当該マット５２に挿通可能であることを特徴としている。
【０００８】
また、請求項２の考案にかかる寝具用ずれ落ち防止具は、上記請求項１に記載の寝具用ずれ落ち防止具において、前記連結部材２は、弾性伸長可能な帯体からなることを特徴としている。
【０００９】
そして、請求項３の考案にかかる寝具用ずれ落ち防止具は、上記請求項１又は２に記載の寝具用ずれ落ち防止具において、前記係止部材３は、Ｕ字状の係止部本体３０と、その係止部本体３０の一端に、弾力性があり先端が鋭利で、且つ、前記掛け布団等の寝具ＳＩに挿通可能な係止片３３が設けられ、他端には、該係止片３３の先端部３３ａを保持する保持片３０ｂが設けられてなることを特徴としている。
【００１０】
さらに、請求項４の考案にかかる寝具用ずれ落ち防止具は、上記請求項１〜３のいずれか１項に記載の寝具用ずれ落ち防止具において、前記連結部材２には、前記差し込み板１を収納する収納ケース４が設けられてなることを特徴としている。
【考案の効果】
【００１１】
次に、本考案の効果について、図面の参照符号を付して説明する。まず、請求項１の考案にかかる寝具用ずれ落ち防止具によれば、差し込み板１に突設されている先端が鋭利な突起（針１０ａ）が、ベッド土台５１とこのベッド土台５１の上に載置されたマット５２との間に差し込み板１が差し込まれる際、当該マット５２に挿通される。これにより、就寝者Ｈが寝返りを打っても、差し込み板１がベッド土台５１とマット５２との間から簡単に抜け出すようなことがなく、さらに、この差し込み板１と連結部材２を介して連設されている係止部材３が寝具ＳＩに係止されるから、効果的に掛け布団等の寝具のずれ落ちを防止することができる。
【００１２】
また、請求項２の考案によれば、連結部材２は、弾性伸長可能な帯体からなるため、寝具がずれ落ちない範囲で寝具を左右自由に動かすことができ、就寝者が寝具に束縛されて安眠を妨げられるということがない。
【００１３】
そして、請求項３の考案によれば、寝具ＳＩを、係止部材３に係る係止片３３によって挿通し、その挿通した係止片３３の先端部３３ａを保持片３０ｂに保持させるようにしているから、掛け布団や毛布など複数枚の寝具を一度に係止することができる。さらに、係止部本体３０をＵ字状に形成しているから、掛け布団や毛布などの寝具ＳＩの適当箇所の内面をＵ字状に折り曲げれば、そのＵ字状に折り曲げた内面を係止部本体３０内に収納することができ、その内面を係止片３３にて係止すれば、寝具ＳＩの内面を係止することができる。これにより、係止部材３を寝具ＳＩ内に収納することができるため、寝具用ずれ落ち防止具使用時の体裁が良くなる。
【００１４】
さらに、請求項４の考案によれば、上記連結部材２に、上記差し込み板１を収納する収納ケース４が設けられているから、未使用時、差し込み板１を収納ケース４に収納することで、差し込み板１に突設されている先端が鋭利な突起（針１０ａ）によって就寝者が怪我をする恐れを低減させることができる。
【図面の簡単な説明】
【００１５】
【図１】本考案の一実施形態に係る寝具用ずれ落ち防止具の斜視図である。
【図２】同実施形態に係る差し込み板の側面図である。
【図３】同実施形態に係る係止部材の正面図である。
【図４】（ａ）は、同実施形態に係る寝具用ずれ落ち防止具の使用状態を示し、（ｂ）は、（ａ）に示す寝具用ずれ落ち防止具の取付状態を模式的に示した図である。
【図５】同実施形態に係る収納ケースの斜視図である。
【図６】図５のＡ−Ａ線断面図を示し、（ａ）は、収納ケースの前部側を開放し差し込み板を収納した状態を示し、（ｂ）は、収納ケースの前部側を閉止し、その収納ケース内に差し込み板を収納した状態を示す図である。
【考案を実施するための形態】
【００１６】
以下、本考案に係る寝具用ずれ落ち防止具の一実施形態について、図１〜図６を参照して具体的に説明する。まず、図１〜図３を参照して、本実施形態に係る寝具用ずれ落ち防止具の構成について説明する。
【００１７】
本実施形態に係る寝具用ずれ落ち防止具は、図１に示すように、鉄等で形成される厚板状の差し込み板１と、その差し込み板１に一端２ａが連結される弾性伸長する帯ゴムからなる連結部材２と、その連結部材２の他端２ｂに設けられた鉄等で形成される係止部材３とで構成されている。
【００１８】
差し込み板１は、図１及び図２に示すように、差し込み板本体１０と、コ字状の連結片１１とで構成され、この差し込み板本体１０は、略ドーム状の厚板に形成され、その表面には一対の針１０ａが所定間隔をおいて、傾斜状に突設されている。そして、この差し込み板本体１０の一側面（円弧状の側面）中央部には、コ字状の連結片１１が溶接等によって固着され、この連結片１１には、上記帯ゴムからなる連結部材２の一端２ａが取り付けられている。すなわち、帯ゴムからなる連結部材２の一端２ａが、連結片１１の内部に通されて折り返されてから当該連結部材２自体に縫着されて、連結片１１に取り付けられている。これにより、差し込み板１に連結部材２の一端２ａが連結されることとなる。なお、本実施形態においては、針１０ａを一対設けているが、勿論、一つでも良く、３つ以上あっても良い。
【００１９】
一方、係止部材３は、図１及び図３に示すように係止部本体３０と、コ字状の連結片３１とで構成されている。この係止部本体３０は、略Ｕ字状に形成され、一端部には半円柱状の突片３０ａが内側方向に突設されており、他端部には円弧状の保持片３０ｂが設けられている。そして、この突片３０ａには、先端部３３ａが鋭利な針状の係止片３３が設けられている。すなわち、この係止片３３の基端部３３ｂが上記突片３０ａに巻回されて固定されることにより、係止片３３が突片３０ａに設けられている。また、この係止片３３は、弾力性があり、図３に示す矢印Ｐ方向（上下方向）に移動できるようになっており、先端部３３ａが下方向に移動し、上記円弧状の保持片３０ｂの内周面に当接すれば、係止片３３が図３示す一点鎖線の位置に保持されるようになっている。
【００２０】
他方、図１及び図３に示すように、係止部本体３０の中央部外周面にはコ字状の連結片３１が溶接等によって固着され、この連結片３１には、上記帯ゴムからなる連結部材２の他端２ｂが取り付けられている。すなわち、帯ゴムからなる連結部材２の他端２ｂが、連結片３１の内部に通されて折り返されてから当該連結部材２自体に縫着されて、連結片３１に取り付けられている。これにより、連結部材２の他端２ｂに係止部材３が連結されることとなる。
【００２１】
このように構成される寝具用ずれ落ち防止具は、図４に示すように使用される。すなわち、図４（ａ）に示すように、就寝者Ｈが就寝するベッド５０は、略矩形状のベッド土台５１とそのベッド土台５１上に載置されたマット５２とで構成されており、このマット５２上に枕ＰＩや掛け布団等の寝具ＳＩを載置することで就寝者Ｈが就寝する。そしてその際、寝具ＳＩの所要箇所（図示では４箇所）には、上記説明した寝具用ずれ落ち防止具が取り付けられている。具体的に説明すると、寝具ＳＩは、図４（ｂ）に示すように、毛布ＳＩａと一対の掛け布団ＳＩｂとで構成されており、この毛布ＳＩａと一対の掛け布団ＳＩｂの端部側の内面がＵ字状に折り曲げられている。そして、そのＵ字状に折り曲げられた内面が係止部本体３０内に収納されて、寝具用ずれ落ち防止具を構成する係止部材３の突片３０ａに設けられている係止片３３の先端部３３ａに挿通される。そしてさらに、その挿通した係止片３３を図３に示す矢印Ｐ（下方向）の位置に移動させれば、先端部３３ａが係止部材３の保持片３０ｂに保持される（図３参照）。これにより、寝具ＳＩ内に係止部材３が係止され、係止部材３が寝具ＳＩ内に収納されるため、寝具用ずれ落ち防止具使用時の体裁が良くなる。
【００２２】
一方、ベッド土台５１とマット５２との間には、差し込み板１が差し込まれ、その際、マット５２には差し込み板本体１０の表面に傾斜状に突設されている一対の針１０ａが挿通される。
【００２３】
これにより、就寝者Ｈが寝返りを打っても、差し込み板１がベッド土台５１とマット５２との間から簡単に抜け出すようなことがなく、しかも、この差し込み板１と連結部材２を介して連設されている係止部材３が寝具ＳＩに係止されているから、効果的に掛け布団等の寝具のずれ落ちを防止することができる。また、連結部材２は、弾性伸長する帯ゴムからなるため、寝具がずれ落ちない範囲で寝具を左右自由に動かすことができ、就寝者が寝具に束縛されて安眠を妨げられるということがない。
【００２４】
さらに、掛け布団や毛布などの寝具を係止部材３に係る係止片３３によって挿通し、その挿通した係止片３３の先端部３３ａを保持片３０ｂに保持させるようにしているから、掛け布団や毛布など複数枚の寝具を一度に係止することができる。
【００２５】
なお、本実施形態において例示した差し込み板１及び係止部材３の形状はあくまで例示であり、これに限定されるものではなく、種々様々な形状に設計変更可能である。さらに、本実施形態においては、針１０ａを傾斜状に突設させているが、垂直に突設させても良い。しかしながら、傾斜状に突設させた方が、マット５２により深く挿通させることができるためより好ましい。
【００２６】
ところで、上記のように構成される寝具用ずれ落ち防止具のうち差し込み板１に係る差し込み板本体１０の表面には一対の針１０ａが傾斜状に突設されている。そのため、当該寝具用ずれ落ち防止具を使用しない場合、その針１０ａによって就寝者が怪我をする恐れがある。それゆえ、その差し込み板１を収納する図５及び図６に示すような収納ケースを設けることもできる。
【００２７】
図５に示すように、この収納ケース４は、プラスチック等で形成されると共に、略ドーム状の厚板に形成されている。そして、この収納ケース４は、図６を見れば明らかなように、上ケース４０と下ケース４１とで構成されており、前部側が開閉できるようになっている。なお、上記上ケース４０と下ケース４１は、略９０度の範囲で回動できるようになっている。
【００２８】
上ケース４０は、前端側表面に収納ケース４の前部側を開閉させる際に使用される断面視逆Ｌ字状の把手４０ａが一体形成されており、後端側には矩形状の透孔４０ｂが穿設され、この透孔４０ｂに連結部材２が挿入できるようになっている（図６参照）。そして、上ケース４０の周枠には所定箇所に嵌合凹部４０ｃが設けられている。
【００２９】
一方、下ケース４１は、その周枠所定箇所に、上記嵌合凹部４０ｃに嵌合される嵌合凸部４１ａが突設されている。
【００３０】
このように構成される収納ケース４は、図６（ａ）に示すように、前部側が開放された状態で、下ケース４１内に差し込み板１が収納され、その収納された差し込み板１の連結片１１に取り付けられている連結部材２が上記収納ケース４の外方に突出するように上記透孔４０ｂに挿入される。そして、その状態で、図６（ｂ）に示すように、上ケース４０の周枠に設けられている嵌合凹部４０ｃに下ケース４１の周枠に設けられている嵌合凸部４１ａを嵌合させるようにすれば、収納ケース４の前部側が閉止される。これにより、収納ケース４内に差し込み板１が収納されることとなり、上記針１０ａによって、就寝者が怪我をする恐れを低減させることができる。
【００３１】
なお、上記寝具用ずれ落ち防止具を使用する場合は、収納ケース４の前部側を開放（上ケース４０及び／又は下ケース４１を回動）し（図６（ａ）参照）、差し込み板１を下ケース４１から取出して使用すれば良い。そしてその際、収納ケース４は、連結部材２の適当位置、すなわち、上記寝具用ずれ落ち防止具を使用するのに邪魔にならない位置に移動させればよい。
【００３２】
なお、本実施形態において例示した収納ケースは、あくまで例示であり、種々様々な形状に設計変更可能である。
【符号の説明】
【００３３】
１          差し込み板
２          連結部材
２ａ      （連結部材の）一端
２ｂ      （連結部材の）他端
３          係止部材
４          収納ケース
１０ａ      針（突起）
３０        係止部本体
３０ｂ      保持片
３３ａ    （係止片の）先端部
５１        ベッド土台
５２        マット
ＳＩ        寝具
【図１】
0003173287.tif 000003
【図２】
0003173287.tif 000004
【図３】
0003173287.tif 000005
【図４】
0003173287.tif 000006
【図５】
0003173287.tif 000007
【図６】
0003173287.tif 000008